(57)【要約】【課題】導電板の内部をプラス電極からマイナス電極に直接流れる無効分流を少なくする。【解決手段】シリーズスポット溶接される溶接板部２０が、プラス電極が押し当てられる第１の溶接板部２１と、マイナス電極が押し当てられる第２の溶接板部２２と、これらを分離するスリット２５と、スリットにより分離された第１および第２の溶接板部を連結する連結部２３と、を有する。スリットは、第１および第２の溶接板部の電極押し当て位置２１ａ、２２ａを結ぶ線Ｌに交差する方向に沿って形成された主スリット部２６と、主スリット部の端部に連続し、第１および第２の溶接板部の少なくともいずれか一方の溶接板部の電極押し当て位置の側方に回りこむように延設された補助スリット部２７とを有する。【選択図】図１
2014170645.tif 000002
【特許請求の範囲】
【請求項１】
接合相手側部材に溶接される溶接板部を有し、前記接合相手側部材に前記溶接板部を重ね、該溶接板部の上からプラス電極とマイナス電極とを加圧力を付与しながら押し当て、その状態でプラス電極とマイナス電極の間に通電することにより、前記溶接板部を接合相手側部材にスポット溶接するスポット溶接用の導電板であって、
前記溶接板部が、プラス電極が押し当てられる第１の溶接板部と、マイナス電極が押し当てられる第２の溶接板部と、これら第１および第２の溶接板部を分離するために前記第１および第２の溶接板部の間に形成されたスリットと、該スリットにより分離された前記第１および第２の溶接板部を連結する連結部と、を有し、
前記スリットが、前記第１および第２の溶接板部の電極押し当て位置を結ぶ線に交差する方向に沿って形成された主スリット部と、該主スリット部の端部に連続し、前記第１および第２の溶接板部の少なくともいずれか一方の溶接板部の電極押し当て位置の側方に回りこむように延設された補助スリット部とを有することを特徴とするスポット溶接用の導電板。
【請求項２】
前記第１および第２の溶接板部の電極押し当て位置に、前記接合相手側部材に対して前記第１および第２の溶接板部を押し当てる方向に突出した突起部が設けられていることを特徴とするスポット溶接用の導電板。
【発明の詳細な説明】
【技術分野】
【０００１】
本発明は、接合相手部材である主に電池に対してシリーズスポット溶接（片側スポット溶接）により接合される導電板に関するものである。
【背景技術】
【０００２】
集合電池を作る場合、単電池の電極同士をバスバー（導電板）で接続するが、その際、電池へのバスバーの接合にスポット溶接が利用されている（例えば、特許文献１参照）。電池にバスバーをスポット溶接する場合、重ねた電池側部材とバスバーとを上下から溶接電極で挟んでスポット溶接することができないので、バスバーの上から２つの電極を押し当てて直列に通電するシリーズスポット溶接が利用されている。
【０００３】
シリーズスポット溶接は、重ね合わせた複数の金属板の一方の表面に一対の電極を当接させて通電し、この通電による抵抗発熱で金属板を加熱すると共に、電極の加圧力で金属板同士を押し付けることにより、金属板同士を接合するものである。
【０００４】
ところで、バスバーの上からプラスの電極とマイナスの電極を押し当てて通電した場合、バスバー内部を直接流れる無効分流が発生する。その無効分流を少なくするため、２つのスポット溶接点の間にスリットを設けることが、特許文献２において提案されている。
【０００５】
この技術では、図４に示すように、電池２４０に接続されるリード端子２１０（バスバーに相当）の平板部２１１に、底に平坦面を有する凹状部２２０を形成し、凹状部２２０の平坦面にスリット２２５を設け、スリット２２５の両側の位置を、プラスとマイナスの電極を押し当てて溶接するスポット溶接点２２１としている。
【０００６】
このリード端子２１０によれば、リード端子２１０の内部を通ってプラス電極からマイナス電極へ最短経路で流れる無効分流を遮断することができるので、本来溶接に使わなければならない電流エネルギーのロス分を軽減することができる。
【先行技術文献】
【特許文献】
【０００７】
【特許文献１】特開２００９−３０１９８２号公報
【特許文献２】特開平７−２１１３０７号公報
【発明の概要】
【発明が解決しようとする課題】
【０００８】
しかし、２つのスポット溶接点の間に直線的にスリットを設けるだけでは、スリットを迂回する経路を通して流れる無効分流を少なくできない。
【０００９】
本発明は、上述した事情に鑑みてなされたものであり、その目的は、導電板の内部をプラス電極からマイナス電極に直接流れる無効分流をできるだけ生じさせないようにしたスポット溶接用の導電板を提供することにある。
【課題を解決するための手段】
【００１０】
前述した目的を達成するために、本発明に係るスポット溶接用の導電板は、下記（１）および（２）を特徴としている。
（１）  接合相手側部材に溶接される溶接板部を有し、前記接合相手側部材に前記溶接板部を重ね、該溶接板部の上からプラス電極とマイナス電極とを加圧力を付与しながら押し当て、その状態でプラス電極とマイナス電極の間に通電することにより、前記溶接板部を接合相手側部材にスポット溶接するスポット溶接用の導電板であって、
前記溶接板部が、プラス電極が押し当てられる第１の溶接板部と、マイナス電極が押し当てられる第２の溶接板部と、これら第１および第２の溶接板部を分離するために前記第１および第２の溶接板部の間に形成されたスリットと、該スリットにより分離された前記第１および第２の溶接板部を連結する連結部と、を有し、
前記スリットが、前記第１および第２の溶接板部の電極押し当て位置を結ぶ線に交差する方向に沿って形成された主スリット部と、該主スリット部の端部に連続し、前記第１および第２の溶接板部の少なくともいずれか一方の溶接板部の電極押し当て位置の側方に回りこむように延設された補助スリット部とを有すること。
（２）  上記（１）の構成において、
前記第１および第２の溶接板部の電極押し当て位置に、前記接合相手側部材に対して前記第１および第２の溶接板部を押し当てる方向に突出した突起部が設けられていること。
【００１１】
上記（１）の構成スポット溶接用の導電板によれば、プラス電極が押し当てられる第１の溶接板部と、マイナス電極が押し当てられる第２の溶接板部とを分離する目的で第１の溶接板部と第２の溶接板部の間に形成されたスリットが、第１および第２の溶接板部の電極押し当て位置を結ぶ線に交差する方向に沿って形成された主スリット部と、溶接板部の電極押し当て位置の側方に回りこむように延設された補助スリット部とを有しているので、第１の溶接板部と第２の溶接板部とを繋ぐ連結部の長さ（迂回路）を補助スリット部を設けた分だけ長くすることができ、連結部の抵抗値を高めることができる。従って、連結部を通して流れる無効分流を少なくすることができ、本来溶接に供されるべき電流エネルギーのロスを小さくして、より効果的な溶接を行うことが可能になる。しかも、主スリット部に補助スリット部を延長するだけでよいので、連結部の板厚を薄く形成して連結部の抵抗値を増やすなどの面倒な対策を講じる必要がなく、プレス成形のみで作製することができる。
上記（２）の構成スポット溶接用の導電板によれば、第１および第２の溶接板部の溶接箇所にプロジェクション（突起部）を設けているので、この突起部に電流を集中して流すことができ、溶接効果を高めることができる。
【発明の効果】
【００１２】
本発明によれば、プラス電極が押し当てられる第１の溶接板部と、マイナス電極が押し当てられる第２の溶接板部とを繋ぐ連結部を通して流れる無効分流を少なくすることができ、本来溶接に供されるべき電流エネルギーのロスを小さくすることができる。しかも、主スリット部に補助スリット部を延長するだけでよいので、連結部の板厚を薄く形成する等の面倒な対策を講じる必要がなく、プレス成形のみで簡単に作製することができる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１（ａ）及び図１（ｂ）は、本発明の実施形態のバスバーの構成図で、図１（ａ）は部分斜視図、図１（ｂ）は要部の無効分流の流れる経路を示す平面図である。
【図２】図２は、前記バスバーの溶接板部を電池の電極板にシリーズスポット溶接している状態を示す要部側面図である。
【図３】図３（ａ）及び図３（ｂ）は、前記実施形態に対する比較例のバスバーの構成を示す図で、図３（ａ）は部分斜視図、図３（ｂ）は要部の無効分流の流れる経路を示す平面図である。
【図４】図は、従来技術の説明図である。
【発明を実施するための形態】
【００１５】
以下、本発明の実施形態を図面を参照して説明する。
図１は実施形態のバスバーの構成図で、図１（ａ）は部分斜視図、図１（ｂ）は要部の無効分流の流れる経路を示す平面図、図２はバスバーの溶接板部を電池の電極板にシリーズスポット溶接している状態を示す要部側面図、図３は実施形態に対する比較例のバスバーの構成を示す図で、図３（ａ）は部分斜視図、図３（ｂ）は要部の無効分流の流れる経路を示す平面図である。
【００１６】
図１（ａ）に示すように、この実施形態のバスバー（導電板）１０は、平板状のバスバー本体１０Ａの一端１１に開口１２を有しており、その開口１２の内部に島状の溶接板部２０を有している。溶接板部２０は、図２に示すように、接合相手側部材である電池４０の電極板４１に重ねて溶接される部分であり、バスバー本体１０Ａからほぼ切り離された形とされて、バスバー本体１０Ａの板面より一段低い位置に配置され、断面積を小さくしたヒューズ部１５でのみバスバー本体１０Ａにつながっている。
【００１７】
この溶接板部２０を溶接する場合は、図２に示すように、電池４０の電極板４１に溶接板部２０を重ね、溶接板部２０の上からプラス電極３１とマイナス電極３２とを加圧力を付与しながら押し当て、その状態でプラス電極３１とマイナス電極３２の間に通電する。そうすると、プラス電極３１からマイナス電極３２に矢印Ｂで示すように電流が流れ、電極板４１と溶接板部２０とが接している部分の抵抗により当該部分が発熱して、接触点に２つのナゲットが形成され、この２つのナゲットにより電極板４１と溶接板部２０が溶接される。
【００１８】
その際、溶接板部２０の内部を通してプラス電極３１からマイナス電極３２に無効電流が流れる。そこで、その無効電流をできるだけ少なくするために、溶接板部２０は、図１（ａ）及び図１（ｂ）に示すように、プラス電極３１が押し当てられる第１の溶接板部２１と、マイナス電極３２が押し当てられる第２の溶接板部２２と、これら第１および第２の溶接板部２１、２２を分離するために第１および第２の溶接板部２１、２２の間に形成されたスリット２５と、スリット２５により分離された第１および第２の溶接板部２１、２２とを相互連結する連結部２３と、を有する構成とされている。
【００１９】
スリット２５は、溶接板部２０の一側縁から他側縁に向かって延びており、連結部２３は、他側縁側にだけ残されている。また、ヒューズ部１５は、第２の溶接板部２２のスリット２５と反対側の外側縁部の連結部２３から遠い位置に接続されている。
【００２０】
この場合、第１および第２の溶接板部２１、２２を分けるスリット２５は、第１および第２の溶接板部２１、２２の電極押し当て位置２１ａ、２２ａを結ぶ線Ｌに交差する方向に沿って形成された主スリット部２６と、主スリット部２６の連結部２３側の端部に連続し、第２の溶接板部２２の電極押し当て位置２２ａの側方に回りこむように延設された補助スリット部２７と、を有した略Ｌ字形の経路で形成されている。
【００２１】
また、第１および第２の溶接板部２１、２２の電極押し当て位置２１ａ、２２ａの中心には、接合相手側部材である電池４０に対して第１および第２の溶接板部２１、２２を押し当てる方向に突出した突起部（プロジェクション）２１ｂ、２２ｂが設けられている。
【００２２】
以上の構成のバスバー１０に対して、図３に示す比較例のバスバー１１０では、スリット２５が主スリット部２６に相当する分だけしか設けられていない。その点に違いがある。
【００２３】
この比較例のバスバー１１０では、第１の溶接板部２１と第２の溶接板部２２とを繋ぐ連結部２３の長さが、主スリット部２６を迂回する分だけしか確保されない。従って、無効分流の流れる経路が短く、連結部２３の抵抗値が高くならず、連結部２３を通って流れる無効分流（矢印Ｃの経路で流れる電流）が大きくなる。これを防ぐための対策として、連結部２３の板厚を薄くして連結部２３の抵抗値を大きくすることが考えられるが、連結部２３だけ板厚を薄くすることは加工に困難が伴う。
【００２４】
これに対して、上記構成の本発明の実施形態のバスバー１０は、スリット２５が、第１および第２の溶接板部２１、２２の電極押し当て位置２１ａ、２２ａを結ぶ線Ｌに交差する方向に沿って形成された主スリット部２６と、第２の溶接板部２２の電極押し当て位置２２ａの側方に回りこむように延設された補助スリット部２７とを有した略Ｌ字形の経路で形成されているので、第１の溶接板部２１と第２の溶接板部２２とを繋ぐ連結部２３の長さが、補助スリット部２７を迂回する分だけ長くなる。従って、無効分流の流れる経路が長くなり、連結部２３の抵抗値を高めることができ、連結部２３を通って流れる無効分流（矢印Ａの経路で流れる電流）を少なくすることができる。そのため、本来溶接に供されるべき電流エネルギーのロスを小さくして、より効果的な溶接を行うことが可能になる。
【００２５】
しかも、主スリット部２６に補助スリット部２７を延長するだけでよいので、連結部２３の板厚を薄く形成して連結部２３の抵抗値を増やすなどの面倒な対策を講じる必要がなく、プレス成形のみで作製することができる。
【００２６】
また、本実施形態のバスバー１０によれば、第１および第２の溶接板部２１、２２の溶接箇所に突起部（プロジェクション）２１ｂ、２２ｂを設けているので、これらの突起部２１ｂ、２２ｂに電流を集中して流すことができ、溶接効果を高めることができる。
【００２７】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００２８】
例えば、上記実施形態では、第１の溶接板部２１と第２の溶接板部２２を繋ぐ連結部２３を溶接板部２０の片方の側縁にしか設けていないが、連結部２３を溶接板部２０の両方の側縁に設けて、スリット２５を溶接板部２０の両方の側縁の内側に形成するようにしてもよい。その場合、スリット２５は、補助スリット部２７が第１の溶接板部２１の電極押し当て位置２１ａの両側方に回りこむようにコ字状に設けるか、補助スリット部２７が第２の溶接板部２２の電極押し当て位置２２ａの両側方に回りこむようにコ字状に設けるか、補助スリット部２７が第１の溶接板部２１の電極押し当て位置２１ａの両側方と第２の溶接板部２２の電極押し当て位置２２ａの両側方とにそれぞれ回りこむようにＨ字状に設けるかするのがよい。
【符号の説明】
【００２９】
１０  バスバー
２０  溶接板部
２１  第１の溶接板部
２１ａ  電極押し当て位置
２１ｂ  突起部
２２  第２の溶接板部
２２ａ  電極押し当て位置
２２ｂ  突起部
２３  連結部
２５  スリット
２６  主スリット部
２７  補助スリット部
３１  プラス電極
３２  マイナス電極
Ｌ  電極押し当て位置を結ぶ線
【図１】
2014170645.tif 000003
【図２】
2014170645.tif 000004
【図３】
2014170645.tif 000005
【図４】
2014170645.tif 000006